(57)【要約】【課題】捕集効率を高める空気浄化機の捕集部における傾斜螺旋ガイドを提供する。【解決手段】傾斜螺旋ガイド１２は、円筒１４の中心軸から所定の距離をおいて螺旋状に形成し、円筒１４の外周側から前記中心軸側の中央縁１８に向けて、下方に下がり傾斜してなる板体であって、傾斜螺旋ガイド１２の上面には外周から中央縁１８に向けて放射状に所定間隔をなす中央縁誘導堰１９を複数備えたものであり供給した水は、再度、螺旋通路１６に満遍なく降り注ぎ空気中の粉塵を捕集することができるので、より高い捕集効率を得ることができる。【選択図】図３
2018083159.tif 000002
【特許請求の範囲】
【請求項１】
立設した円筒の風路の内に配置し螺旋通路を形成するとともに前記円筒の上方から水を供給して塵埃の捕集をする傾斜螺旋ガイドにおいて、前記傾斜螺旋ガイドは、前記円筒の中心軸から所定の距離をおいて螺旋状に形成し、前記円筒の外周側から前記中心軸側の中央縁に向けて、下方に下がり傾斜してなる板体であって、前記傾斜螺旋ガイドの上面には外周から中央縁に向けて放射状に所定間隔をなす中央縁誘導堰を複数備えた傾斜螺旋ガイド。
【請求項２】
傾斜螺旋ガイドの全面に散水孔を備えた請求項１記載の傾斜螺旋ガイド。
【請求項３】
複数の中央縁誘導堰の間にあって、傾斜螺旋ガイドの中央縁から中心軸側に向けて中央縁突起を備えた請求項１または２記載の傾斜螺旋ガイド。
【発明の詳細な説明】
【技術分野】
【０００１】
本発明は、水と空気の接触作用を用いて空気中の粉塵を取り除く空気浄化機に使用することができる風路内ガイド板に関するものである。
【背景技術】
【０００２】
空気中の砂や埃などの粉塵を捕集して空気から取り除く従来型の装置として、空気浄化機が知られている（例えば、特許文献１参照）。
【０００３】
このような従来の空気浄化機について図１０、図１１を参照しながら説明する。図１０は従来の空気浄化機の側面断面を、図１１は従来の空気浄化機に備わる捕集部における風路内ガイド板（以下傾斜螺旋ガイドと呼ぶ）を示している。
【０００４】
図１０に示すように従来の湿式空気浄化機は空気を送る送風機１０１、外殻１０２、捕集部１１２、給水ポンプ１０３、給水管１０４で構成される。送風機１０１によって空気が、給水ポンプ１０３によって送水口１０５から水受け面１０６を通じて水がそれぞれ吸込み口１０７へと送りこまれる。送りこまれた空気と水は捕集部１１２で接触し、空気中の粉塵は水によって捕集される。
【０００５】
捕集部１１２は傾斜螺旋ガイド１０９および傾斜螺旋ガイド１０９を包む捕集部円筒１１０で構成される。空気と水は傾斜螺旋ガイド１０９の作る螺旋通路１１１によって上から見て旋回しながら下へと進む。水は傾斜螺旋ガイド１０９の表面を伝って進むが、傾斜螺旋ガイド１０９には図１０および図１１に示すように内側１１３に向かって傾斜しているため水は重力によって傾斜螺旋ガイド１０９の内側１１３へと移動し、内側１１３から下方へと落下して液滴になる。液滴になった水は空気と接触し、空気中の粉塵を捕集する。
【０００６】
捕集部１１２を通り過ぎた空気は送風機１０１へ、水は重力で落下して外殻１０２の底へとそれぞれ進む。粉塵が捕集されて浄化された空気が送風機１０１から排出され、粉塵を捕集した水は吸水孔１０８から給水ポンプ１０３に吸われて再度捕集に利用される。
【先行技術文献】
【特許文献】
【０００７】
【特許文献１】特開２００２−２７３１４１号公報
【発明の概要】
【発明が解決しようとする課題】
【０００８】
このような従来の傾斜螺旋ガイドにおいて、傾斜螺旋ガイドの表面を伝って進む水は、空気触れることがなく落下してしまい粉塵の捕集に寄与しにくいという課題を有していた。
【０００９】
そこで本発明は、上記従来の課題を解決するものであり、捕集効率を高める空気浄化機の捕集部における傾斜螺旋ガイドを提供することを目的とする。
【課題を解決するための手段】
【００１０】
そして、この目的を達成するために傾斜螺旋ガイドは、立設した円筒の風路の内に配置し螺旋通路を形成するとともに前記円筒の上方から水を供給して塵埃の捕集をする傾斜螺旋ガイドにおいて、前記傾斜螺旋ガイドは、前記円筒の中心軸から所定の距離をおいて螺旋状に形成し、前記円筒の外周側から前記中心軸側の中央縁に向けて、下方に下がり傾斜してなる板体であって、前記傾斜螺旋ガイドの上面には外周から中央縁に向けて放射状に所定間隔をなす中央縁誘導堰を複数備えたものである。これにより、所期の目的を達成するものである。
【発明の効果】
【００１１】
本発明によれば、立設した円筒の風路の内に配置し螺旋通路を形成するとともに前記円筒の上方から水を供給して塵埃の捕集をする傾斜螺旋ガイドにおいて、前記傾斜螺旋ガイドは、前記円筒の中心軸から所定の距離をおいて螺旋状に形成し、前記円筒の外周側から前記中心軸側の中央縁に向けて、下方に下がり傾斜してなる板体であって、前記傾斜螺旋ガイドの上面には外周から中央縁に向けて放射状に所定間隔をなす中央縁誘導堰を複数備えたことにより、高い捕集効率を有る空気浄化機を提供することができる。また、水を使うため、集塵のみならず加湿やガス状汚染物質の除去、脱臭も可能な空気浄化機を提供することができる。
【図面の簡単な説明】
【００１２】
【図１】本開示の実施の形態１の空気浄化機の側面図
【図２】実施の形態１の空気浄化機の斜視図
【図３】実施の形態１の空気浄化機の側面断面図
【図４】実施の形態１の空気浄化機の斜視断面図
【図５】実施の形態１の傾斜螺旋ガイドの斜視図
【図６】実施の形態１の傾斜螺旋ガイドの上面図
【図７】本開示の実施の形態２の傾斜螺旋ガイドの斜視図
【図８】本開示の実施の形態３の傾斜螺旋ガイドの斜視図
【図９】実施の形態３の傾斜螺旋ガイドの上面図
【図１０】従来の空気浄化機の側面断面図
【図１１】従来の空気浄化機の備える傾斜螺旋ガイドの斜視図
【発明を実施するための形態】
【００１３】
本発明の請求項１に係わる傾斜螺旋ガイドは、立設した円筒の風路の内に配置し螺旋通路を形成するとともに前記円筒の上方から水を供給して塵埃の捕集をする傾斜螺旋ガイドにおいて、前記傾斜螺旋ガイドは、前記円筒の中心軸から所定の距離をおいて螺旋状に形成し、前記円筒の外周側から前記中心軸側の中央縁に向けて、下方に下がり傾斜してなる板体であって、前記傾斜螺旋ガイドの上面には外周から中央縁に向けて放射状に所定間隔をなす中央縁誘導堰を複数備えたものである。
【００１４】
これにより、傾斜螺旋ガイドの表面を流れる水は、傾斜螺旋ガイドが中央に向かって傾斜しているために、中央へと移動する。中央に移動した水は、中央縁から落下し、螺旋通路を流れる空気の旋回気流に乗る際に液滴状になり、中央から外側へ螺旋通路の中を斜め下に横切るように移動する。つまり、再度螺旋通路に満遍なく降り注ぎ空気中の粉塵を捕集することができるので、より高い捕集効率を得ることができる。
【００１５】
また、請求項２に係わる傾斜螺旋ガイドは、傾斜螺旋ガイドの全面に散水孔を備えたものである。
【００１６】
これにより、水は中央縁からだけでなく散水孔からも落下してその下にある傾斜螺旋ガイド上に降り注ぐこととなるので、通風路により万遍なく水が降り注ぐようなり、より高い捕集効率を得ることができる。
【００１７】
また、請求項３に係わる傾斜螺旋ガイドは、複数の中央縁誘導堰の間にあって、傾斜螺旋ガイドの中央縁から中心軸側に向けて中央縁突起を備えたものである。
【００１８】
これにより、水滴は、中央縁突起部に集結して、傾斜螺旋ガイド上面における表面張力に打ち勝って中央縁から容易に落下をすることができ、流れる空気から遠心力を受けて下方の傾斜螺旋ガイド上に再度飛散して、より高い捕集効率を得ることができる。
【００１９】
以下に、本開示にかかる実施の形態を図面に基づいて詳細に説明する。
【００２０】
（実施の形態１）
本実施の形態１にかかる空気浄化機の側面図を図１に、斜視図を図２に、側面断面図を図３に、斜視断面図を図４に示す。
【００２１】
まず、図１に示すように、空気浄化機１は、送風機２、捕集部３（図２、図３に示す）、外郭４、給水ポンプ５、給水管６で構成されている。
【００２２】
さらに、図２に示すように、空気浄化機１は、捕集部３上方に配置した箱体部７を備えている。箱体部７は、供給した水が溢れ出ない程度の高さ扁平のトレー状のものでよい。
【００２３】
図３に示すように、捕集部３は上向きの吸込み口８を備えており、吹出し口１１は箱体部７の底面すなわち水受け面９へ下向きに開口している。箱体部７には送水口１０を備え、給水ポンプ５で水が供給されるようにしている。
【００２４】
送風機２は外郭４に設け、吹出し口１１よりも上方に配置している。
【００２５】
送風機２が運転を開始すると空気が吸込み口８へ吸入される。同時に、給水ポンプ５および給水管６によって送水口１０から水受け面９へ供給された水が空気と共に吸込み口８から捕集部３内へ吸入される。図３に示すように、空気の流れはＡの矢印で、水の流れはＷの矢印で示している。
【００２６】
吸込み口８から入った空気と水は、捕集部３の中で接触し、空気に含まれる粉塵は水に捕集される。捕集部３を通過した後、粉塵が除去された空気は図３における右側上に配置した送風機２から空気浄化機１の外部へ吹き出され、粉塵を捕集した水は重力で落下して外郭４の内側底に移動する。外郭４の内側底に移動した水は吸水孔１３から給水ポンプ５に吸われて吸込み口８へと供給され、粉塵の捕集に再度用いられる。
【００２７】
次に、本実施の形態における傾斜螺旋ガイド１２について斜視図（図５）、上面図（図６）を参照しながら説明をする。
【００２８】
捕集部３は、立設した円筒１４状の風路１５を有し、風路１５内に螺旋通路１６を形成する傾斜螺旋ガイド１２を備えている。
【００２９】
傾斜螺旋ガイド１２は、吸込み口８から吸入した水を表面に流して塵埃の捕集をするものである。また、傾斜螺旋ガイド１２は、前記円筒１４の中心軸１７（図５に示す）から所定の距離をおいて螺旋状に形成し、円筒１４の外周側から中心軸１７側の中央縁１８に向けて、下方に下がり傾斜してなる板体である。傾斜螺旋ガイド１２の上面には外周から中央縁１８に向けて放射状に所定間隔をなす中央縁誘導堰１９を複数備えている。
【００３０】
上記構成において、吸込み口８から入ってきた空気と水は傾斜螺旋ガイド１２と捕集部３の円筒１４によって作られる螺旋通路１６を通過する。水は傾斜螺旋ガイド１２の表面を流れるように移動するが、傾斜螺旋ガイド１２は中心軸１７側に向かって下り傾斜としているので、水はこの傾斜によって中央へと移動する。中央に移動した水は中央縁１８から落下し、螺旋通路１６を流れる空気の旋回気流に乗る際に液滴状になる。液滴状になった水は空気の旋回気流によって遠心力が与えられ、中央縁１８から落下した後に中央から外側へ螺旋通路１６の中を斜め下に横切るように移動する。螺旋通路１６に満遍なく降り注いだ液滴状の水と接触して空気中の粉塵は捕集される。
【００３１】
傾斜螺旋ガイド１２の表面を流れる水には遠心力がかかるため、傾斜があっても中央縁１８から落下せずにそのまま傾斜螺旋ガイド１２の表面を上から見てぐるぐる回るように流れる水が発生する。そこで中央から外側へ延びる中央縁誘導堰１９を傾斜螺旋ガイド１２の表面に設け、この水（傾斜螺旋ガイド１２の表面を流れる水）を強制的に中央に移動させて中央縁１８から落下させる構造となっている。中央縁誘導堰１９によってほぼ全ての水が中央縁１８から落下して螺旋通路１６に降り注ぐため、高い捕集効率で粉塵を捕集することが可能となる。
【００３２】
（実施の形態２）
本実施の形態２にかかる傾斜螺旋ガイド１２の斜視図を図７に示す。本開示の実施の形態２の傾斜螺旋ガイド１２は表面に無数の散水孔２０を有する。水は中央縁１８からだけでなく散水孔２０からも落下してその下にある螺旋通路１６を上から下へ通過して傾斜螺旋ガイド１２上に降り注ぐ。散水孔２０を設けることによって螺旋通路１６内により万遍なく水が通過して傾斜螺旋ガイド１２上に降り注ぐようになり、より高い捕集効率を得ることができる。
【００３３】
（実施の形態３）
本実施の形態３にかかる傾斜螺旋ガイド１２の斜視図を図８に、上面図を図９に示す。中央縁１８には複数の中央縁誘導堰１９の間に中央縁突起２１が設けられている。中央縁突起２１は、傾斜螺旋ガイド１２の中央縁１８から中心軸１７側に向けて備えたものである。
【００３４】
水滴は、中央縁突起２１部に集結して、傾斜螺旋ガイド１２の上面における表面張力に打ち勝って中央縁１８から容易に落下をすることができ、流れる空気から遠心力を受けて下方の傾斜螺旋ガイド１２上に再度飛散して、より高い捕集効率を得ることができる。
【産業上の利用可能性】
【００３５】
本発明にかかる傾斜螺旋ガイドは、空気浄化機の集塵部の風路において粉塵を高い効率で捕集することができ、粉塵捕集のみならず脱臭や加湿を行うことができる。そのため室内の空気を循環したり室外の空気を浄化して室内に入れたりして室内の空気を浄化する装置に有用である。
【符号の説明】
【００３６】
１    空気浄化機
２    送風機
３    捕集部
４    外郭
５    給水ポンプ
６    給水管
７    箱体部
８    吸込み口
９    水受け面
１０    送水口、
１１    吹出し口
１２    傾斜螺旋ガイド
１３    吸水孔
１４    円筒
１５    風路
１６    螺旋通路
１７    中心軸
１８    中央縁
１９    中央縁誘導堰
２０    散水孔
２１    中央縁突起
【図１】
2018083159.tif 000003
【図２】
2018083159.tif 000004
【図３】
2018083159.tif 000005
【図４】
2018083159.tif 000006
【図５】
2018083159.tif 000007
【図６】
2018083159.tif 000008
【図７】
2018083159.tif 000009
【図８】
2018083159.tif 000010
【図９】
2018083159.tif 000011
【図１０】
2018083159.tif 000012
【図１１】
2018083159.tif 000013